(57)【要約】【課題】多くの案内メニューを同時に表示することができて、しかも、いかなる利用者に対しても、操作をし易くすることができるようにする。【解決手段】例えば、初期メニュー画面３０（図７）の「カーソル表示」ボタン２３をタッチ操作すると、図１３（ａ）に示すように、案内メニュー２１1〜２１5が表示される案内情報選択部６の下部に手型カーソル２７が表示され、これが上方に移動して、図１３（ｂ）に示すように、最上部の案内メニュー２１1を指示した状態となる。この手型カーソル２７は、案内情報選択部６の下側の操作ボタン部７での上方向６２，下方向ボタン６３をタッチ操作することにより、上下方向に移動可能であり、これにより、案内メニュー２１1〜２１5のいずれかを指示した状態とすることができる。かかる状態で操作ボタン部７の「確定」ボタン６４をタッチ操作すると、地図などの該当する案内情報が表示される。【選択図】図１３
2010020465.tif 000002
【特許請求の範囲】
【請求項１】
表示画面にタッチパネルを備え、該表示画面でタッチ操作が可能なタッチパネルを用いた案内情報表示装置であって、
縦長の該表示画面の第１の表示エリアに、複数の案内メニューをタッチ選択操作可能に表示し、
該表示画面の該第１の表示エリアの下側の第２の表示エリアに、カーソル操作への切替ボタンと言語切替ボタンとを表示し、
該カーソル操作への切替ボタンの操作を受け付けて、該複数の案内メニューが表示される該第１の表示エリアにカーソルを表示するとともに、該第２の表示エリアに、該カーソルの位置を変更させるためのカーソル移動方向ボタンと、該カーソルで指示された該案内メニューを選択確定するための確定ボタンとを表示し、
該第２のエリアでのタッチ操作により、該第１のエリアに表示される該案内メニューの選択を可能とした
ことを特徴とするタッチパネルを用いた案内情報表示装置。
【請求項２】
請求項１において、
前記カーソル移動方向ボタンと前記確定ボタンとは、前記言語切替ボタンが表示されるエリアに、前記言語切替ボタンに代わって表示されることを特徴とするタッチパネルを用いた案内情報表示装置。
【請求項３】
請求項１または２において、
前記カーソルは、前記カーソル操作への切替ボタンのタッチ操作に伴い、前記カーソル操作への切替ボタンの近傍位置から前記第１の表示エリアでの上部の位置に移動することを特徴とするタッチパネルを用いた案内情報表示装置。
【請求項４】
請求項１〜３のいずれか１つにおいて、
前記複数の案内メニューは、前記第１の表示エリアで上下方向に配列されて表示され、
前記カーソル移動方向ボタンは、前記カーソルを上方向に移動させる上方向ボタンと前記カーソルを下方向に移動させる下方向ボタンとからなることを特徴とするタッチパネルを用いた案内情報表示装置。
【請求項５】
請求項１〜４のいずれか１つにおいて、
前記第２の表示エリアに検索ボタンが表示され、
該検索ボタンの操作に伴って、前記第１の表示エリアでの下部に第３の表示エリアが形成され、
該第３の表示エリアに、タッチ操作によって文字が入力可能な文字入力手段と、該文字入力手段によって入力された文字を表示する入力文字表示エリアとが形成される
ことを特徴とするタッチパネルを用いた案内情報表示装置。
【発明の詳細な説明】
【技術分野】
【０００１】
本発明は、鉄道の駅構内や繁華街の路上などに設置され、地図などの案内情報を表示して利用者に希望する目的地への案内を行なうタッチパネルを用いた案内情報表示装置に関する。
【背景技術】
【０００２】
駅構内や繁華街などの人出が多い地域では、その駅をよく利用する人やその地域の人ばかりでなく、たまにその駅を利用したり、他の地域からその繁華街に買い物などに来たりする人もいる。このような人は、駅構内の改札口などや商店街でのよく行く店舗などの場所は知っているが、それ以外の施設などの場所は知らないことが多く、それを探すのに一苦労する場合もある。
【０００３】
また、その駅をよく利用する人やその地域の人であっても、通常利用する施設については、その場所がどこなのかよく知っているが、あまり使用しない特殊な場所になると、意外と知らないものであり、地元であるにも関わらず、他人に聞かれて答えられない場合もある。
【０００４】
このような不便さを解消するために、近辺の設備や施設などの場所を示す地図情報などによって案内情報を提供できるようにした技術が提案されている。
【０００５】
その一例としては、駅や空港などでの路上に設置された誘導システムであって、支柱に地図や目的地毎の押しボタンが設けられた制御ボックスが取り付けられており、制御ボックスで希望する目的地の押しボタンを押圧すると、地図上に目的地を示す発光体が発光するようにするものであり、さらに、この目的地の方向を示す方向指示装置が足元の路面に設けられているものである（例えば、特許文献１参照）。
【０００６】
また、他の例としては、駅前などの地域の店舗を紹介するシステムであるが、駅前などに設置されている情報端末がタッチパネル画面を備えており、このタッチパネル画面のタッチ操作によって所望とする店舗を選択すると、このタッチパネル画面に現在位置からこの店舗までの道筋を現わす地図画面などを選択的に表示できるようにしたものである（例えば、特許文献２参照）。
【特許文献１】特開２００３ー３４６２７７号公報
【特許文献２】特開２００６ー２２７９２４号公報
【発明の開示】
【発明が解決しようとする課題】
【０００７】
ところで、上記特許文献１に記載の技術では、下を向きながら、制御ボックスで所要の目的地を探して、探した目的地の押しボタンを押下する動作を行ない、しかる後、見る向きを変えてこの目的地の発光体が発光する地図を見るという動作が必要となり、利用者にとっては、利用するのに煩わしさを感ずる場合もある。
【０００８】
これに対し、上記特許文献２に記載の技術では、タッチパネル画面を用い、このタッチパネル画面に目的地を選択する画面を表示し、いずれかの目的地をタッチ操作で選択すると、この同じタッチパネル画面に選択した目的地への道筋を現わす地図が表示されるものであるから、終始このタッチパネル画面を見ながら操作ができるので、利用者がその利用中に見る向きを変えるといった煩わしさを解消することができる。
【０００９】
ところで、上記特許文献２に記載の技術では、店舗の検索情報を階層構造とし、最上位階層の検索項目を表示してこれから該当する項目をタッチ操作して選択することにより、次に上位の階層の検索項目を表示し、そこから該当する項目をタッチ操作して選択する、といった階層毎の選択操作を行なうことにより、所望とする目的の店舗を検索するものであり、操作に手間がかかるものである。
【００１０】
これに対しては、各目的地に関する情報（以下、案内メニューという）のリストを、階層にかかわらず、直接表示し、所望とする目的地の案内メニューをタッチ操作で選択することにより、選択された目的地の地図を表示することにより、操作の手間を解消することができる。
【００１１】
ところで、このようにすると、案内する目的地が多い場合でも、これらの案内メニューが同時に表示されるようにし、できるだけ画面を変えずに希望する目的地を探し出すことができるようにすることが望まれるものであるが、このためには、タッチパネル画面を縦長のものとし、その上から順に案内メニューを上下方向に配列表示して多くの案内メニューが同時に表示されるようにすることが考えられる。
【００１２】
しかしながら、このような縦長のタッチパネル画面にすると、子供などの背の低い利用者や車椅子の利用者などは、タッチパネル画面の上部に手が届かず、あるいは手が届きにくく、このタッチパネル画面の上部の案内メニューを選択できない、あるいは選択しにくい、という問題が生ずる。
【００１３】
本発明の目的は、かかる問題を解消し、多くの案内メニューを同時に表示することができて、しかも、いかなる利用者に対しても、操作をし易くすることができるようにしたタッチパネルを用いた案内情報表示装置を提供することにある。
【課題を解決するための手段】
【００１４】
上記目的を達成するために、本発明は、表示画面にタッチパネルを備え、表示画面でタッチ操作が可能なタッチパネルを用いた案内情報表示装置であって、縦長の表示画面の第１の表示エリアに、複数の案内メニューをタッチ選択操作可能に表示し、表示画面の第１の表示エリアの下側の第２の表示エリアに、カーソル操作への切替ボタンと言語切替ボタンとを表示し、カーソル操作への切替ボタンの操作を受け付けて、複数の案内メニューが表示される第１の表示エリアにカーソルを表示するとともに、第２の表示エリアに、カーソルの位置を変更させるためのカーソル移動方向ボタンと、カーソルで指示された案内メニューを選択確定するための確定ボタンとを表示し、第２のエリアでのタッチ操作により、第１のエリアに表示される案内メニューの選択を可能としたことを特徴とするものである。
【００１５】
また、本発明は、カーソル移動方向ボタンと確定ボタンとが、言語切替ボタンが表示されるエリアに、言語切替ボタンに代わって表示されることを特徴とするものである。
【００１６】
また、本発明は、カーソルが、カーソル操作への切替ボタンのタッチ操作に伴い、カーソル操作への切替ボタンの近傍位置から第１の表示エリアでの上部の位置に移動することを特徴とするものである。
【００１７】
また、本発明は、複数の案内メニューが、第１の表示エリアで上下方向に配列されて表示され、カーソル移動方向ボタンが、カーソルを上方向に移動させる上方向ボタンとカーソルを下方向に移動させる下方向ボタンとからなることを特徴とするものである。
【００１８】
また、本発明は、第２の表示エリアに検索ボタンが表示され、検索ボタンの操作に伴って、第１の表示エリアでの下部に第３の表示エリアが形成され、第３の表示エリアに、タッチ操作によって文字が入力可能な文字入力手段と、文字入力手段によって入力された文字を表示する入力文字表示エリアとが形成されることを特徴とするものである。
【発明の効果】
【００１９】
本発明によると、表示画面を縦長としているので、第１の表示エリアを縦方向に大きくすることができて、より多くの案内メニューを表示することができるし、この第１のエリアの上部での案内メニューを直接タッチ操作することが困難な利用者も、この表示画面の下部に設定されているカーソル操作への切替ボタンを操作することにより、同じくこの表示画面の下部に設定されている下方向ボタンと上方向ボタンを用いて、第１のエリアでの全ての案内メニューを直接タッチ操作するのと同様の感覚をもって操作を行なうことができ、全ての利用者に対して操作性が向上する。
【発明を実施するための最良の形態】
【００２０】
以下、本発明の実施形態を図面を用いて説明する。
【００２１】
図１は本発明によるタッチパネルを用いた案内情報表示装置の一実施形態を示す外観斜視図であって、１はこの実施形態の案内情報表示装置、２は筐体、３は表示画面、４はタッチパネル、５は接近センサである。
【００２２】
同図において、案内情報表示装置１は、縦長のほぼ箱型の筐体２の前面に縦長の表示画面３と赤外線センサなどの接近センサ５とが設けられた構成をなしている。この表示画面３では、タッチパネル４が設けられており、案内情報やそのメニュー画面とともにタッチ操作部が表示されて、この案内情報表示装置１の利用者がこのタッチ操作部をタッチ操作ができるようにしている。また、接近センサ５はこの案内情報表示装置１に利用者がこれを使用するために近づいたことを検出するためのものであって、接近センサ５が利用者が近づいたことを検知すると、案内情報表示装置１は案内情報の表示のために必要な状態に設定される。
【００２３】
この案内情報装置１は、表示画面２に案内情報のメニュー（案内メニュー）を表示して、所望とする案内メニューを選択することにより、この選択された案内メニューに該当する案内情報を表示するものであり、この案内メニューを選択するために、表示画面３では、図２に概略的に示すように、案内情報の案内メニューなどが表示される案内情報選択部６のエリアと、その下側に、操作ボタン部７が表示されるエリアとが設けられている。案内情報選択部６で所望の案内メニューが選択されると、表示画面３にこの案内メニューに該当する案内情報が表示される。なお、案内情報選択部６で案内メニューの選択は、操作ボタン部７でのタッチ操作によって行なうことができるが、直接所望の案内メニューをタッチ操作しても可能である。
【００２４】
ここで、表示画面３が、大人の利用者が立った状態で案内情報選択部６を直接タッチ操作することが容易で、かつ案内情報選択部６で表示される案内メニューの画面や案内情報を正面でみることができるような高さ位置に配置されるように、案内情報装置１の大きさ，配置が設定されており、また、この表示画面３での操作ボタン部７は、子供などの背の低い利用者や車椅子の利用者などが容易にタッチ操作できる高さ位置に表示される。
【００２５】
図３は図１に示す案内情報表示装置１におけるシステムの一具体例の概略構成を示す図であって、８は制御部、９は表示部、１０は入力部、１１はセンサ部、１２は記憶部、１３はプログラム部、１４は案内データ部、１５は表示回数記録部、１６は表示順序生成部である。
【００２６】
同図において、案内情報表示装置１は、その表示画面３（図１）に案内情報や図２に示す案内情報選択部６，操作ボタン部７（図２）などを表示する表示部９と、この表示画面３に表示される操作ボタン部７などからのタッチ操作信号を入力する入力部１０と、接近センサ５（図１）の検出信号を取得するセンサ部１１と、案内情報など各種のデータを記憶した記憶部１２と、これらを制御する制御部８とからなるシステムを備えている。
【００２７】
記憶部１２には、センサ部１１からの信号（即ち、接近センサ５の検出結果）や入力部１０からの信号（即ち、表示画面３でのタッチ操作結果）に応じて制御部８が実行する表示プログラムなどの各種のプログラムが記憶されているプログラム部１３と、案内情報が記憶されている案内データ部１４と、案内データ部１４に記憶されている案内情報の表示経歴や案内情報毎の表示回数が記憶されている表示回数記録部１５，表示回数記録部１５に記憶されている表示回数に応じて案内データ部１４に記憶されている案内メニューの案内情報選択部６（図２）での表示順序を設定する表示順序生成部１６とが設けられている。
【００２８】
図４は図３における表示回数記録部１５に記憶されるログデータ（案内情報の表示経歴データ）の一具体例を示す構成図であって、１７はログデータ、１７ａは「年月日」欄、１７ｂは「時刻」欄、１７ｃは「案内先」欄である。
【００２９】
同図において、ログデータ１７は、表示画面３（図２）での案内メニューのタッチ操作によって選択された案内情報に関する情報をその選択順に記録したものであり、「年月日」欄１７ａと「時刻」欄１７ｂと「案内先」欄１７ｃとから構成されている。図２に示す表示画面で所望の案内メニューが選択されてこれに該当する案内情報が表示画面３に表示されると、この案内情報に対し、この表示された年月日が「年月日」欄１７ａに、その時刻が「時刻」欄１７ｂに夫々記録され、この表示された案内情報で案内する目的地（案内先）が「案内先」欄１７ｃに記録される。この場合、新たに表示された案内情報のかかるデータ（これら年月日，時刻，案内先からなるフォーマットのログデータ）は、最新のログデータであり、例えば、図示するように、順序が先頭のログデータ１７として記録され、これ以前に選択された案内情報に該当するログデータ１７は、この先頭のログデータに続いて、表示日時が新しい順に記録されている。従って、以前に選択された案内情報のログデータ１７は順序が後ろの方のデータとなる。
【００３０】
この案内情報表示装置１で選択表示できる案内情報、即ち、案内情報によって案内される案内先は決められている。そして、夫々の案内情報のログデータ１７は、例えば、１年などの一定期間分記録されており、この一定期間を経過したログデータ１７は削除される。
【００３１】
表示順序生成部１６（図３）は、このログデータ１７を基に、例えば、１ヵ月などの所定期間での各案内情報の選択回数、即ち、表示回数が求められ、この表示回数の多い順に案内情報の案内メニューの表示順序が決定される。この表示順序の設定は、新たに案内情報の選択・表示が行なわれて表示回数記録部１５に新たにログデータ１７が記録される毎に、行なわれるものであり、常に最新の表示順序が設定されている。あるいは、毎日１回、案内情報表示装置１の起動時に、表示順序の設定をするようにしてもよい。
【００３２】
例えば、図４に示すログデータ１７だけを例にすると、案内先「西口トイレ」の案内情報が２回選択表示されたことになり、他の案内情報は１回ずつ選択表示されたことになる。そこで、この案内先「西口トイレ」の案内情報が表示順序が１番の案内情報である。また、表示回数が等しい複数の案内情報については、選択表示が新しい（現在の日時に近い）案内情報ほど表示順序が早いものとし、このことから、案内先「トイレ」の案内情報が表示順序が２番の案内情報であり、案内先「特急のりば」の案内情報が表示順序が３番の案内情報であり、……、案内先「××美術館」の案内情報が表示順序が最後の案内情報となる。あるいは、表示情報の表示順序の初期値を予め登録しておき、表示回数が等しい場合には、この表示順序に従って表示するようにしてもよい。
【００３３】
案内データ部１４に記憶されている各案内情報は、表示順序生成部１６（図３）で決められて表示順序が設定されており、その表示順序の早い（即ち、順位が高い）順に所定個数ずつ案内メニューがまとめられて案内メニューのページが形成される。例えば、表示順序の順位が最も高い案内メニューから順に５個の案内メニューが案内メニューの第１ページを形成し、次の順位から１０個の案内メニューが案内メニューの第２ページを形成し、以下、１０個ずつの案内メニューが第３，第４，……のページを形成する。そして、表示画面３の案内情報選択部６では、利用者の指示操作により、第１ページから順に案内メニューが案内データ部１４から読み出されて表示される。
【００３４】
表示画面３の案内情報選択部６（図２）において、表示される案内メニューのページでは、各案内メニューがその表示順序に従った順序で上から順に配列されて表示される。従って、図４に示すログデータ１７に対する案内メニューが案内メニューの第１ページを形成しているものとすると、案内先「西口トイレ」の案内情報，案内先「トイレ」の案内情報，……、案内先「××美術館」の案内情報の順でそれらの案内メニューが上から順に配列されて表示されることになる。
【００３５】
なお、第１ページの案内メニューの案内情報は、表示回数が多くて利用者が多く利用しているものであるから、この第１ページの案内メニューの個数を少なくし、表示画面３の案内情報選択部６で大きく見易いようにする。
【００３６】
次に、この実施形態の動作及びこの動作によって表示画面３に表示される画面の一具体例について説明する。
【００３７】
図５はこの実施形態の処理動作の流れの一具体例を示すフローチャートである。
【００３８】
この実施形態の案内情報表示装置１（図１）に電源（図示せず）が投入されると、待機メニュー画面が表示され（図５のステップＳ１００）、接近センサ５（図１）が利用者の接近を検出するまで（図５のステップＳ１０１の“無”）、この待機メニュー画面の表示状態が継続する。
【００３９】
図６は表示画面３の案内情報選択部６に表示されるこの待機メニュー画面の一具体例を示す図であって、２０は待機メニュー画面、２１1〜２１5は案内メニュー、２２は次ページ指定部、２３は「カーソル表示」ボタン，２４は言語切替ボタン，２４ａは「日本語」選択ボタン，２４ｂは「英語」選択ボタン，２４ｃは「中国語」選択ボタン，２４ｄは「韓国語」選択ボタン，２５は「検索」ボタン、２６は案内メッセージ欄、２７は手型カーソル、２８はターゲットマークである。
【００４０】
同図において、この待機メニュー画面２０には、その案内情報選択部６に第１ページの５個の案内メニュー２１1〜２１5が縦方向に配列されて表示されており、最も上側の案内メニュー２１1が表示回数が最も多くて表示順序が最上位の案内情報の案内メニューであり、以下、その下に２番目の表示順序の案内情報の案内メニュー２１2が、その下に３番目の表示順序の案内情報の案内メニュー２１3が、……、５番目の表示順序の案内情報の案内メニュー２１5が配列されて表示されている。
【００４１】
なお、これら案内メニュー２１1〜２１5には、例えば、図４に示す「特急のりば」などといったような案内先が表示されている。
【００４２】
また、この案内情報選択部６には、手型カーソル２７とターゲットマーク２８からなるガイダンスアニメーションが表示されている。この手型カーソル２７は、その指先で案内メニュー２１1，２１2，……，２１5の順に指示しながら間欠的に下方に移動し、最下位の案内メニュー２１5を指示する状態になると、再び最上位の案内メニュー２１1の位置に瞬間的に移動し、この案内メニュー２１1から再度１つずつ案内メニューを指示しながら下方へ移動する動作を繰り返す。また、手型カーソル２７の指先で指示された位置には、ターゲットマーク２８が、例えば、点滅して表示される（なお、このターゲットマーク２８は、手型カーソル２７が次の案内メニューに移動する瞬間では、その表示が中断する）。
【００４３】
また、表示画面３での案内情報選択部６よりも上部に、案内メッセージ欄２６が設けられており、これに、例えば、「画面にふれると地図が表示されます」と言ったようなメッセージが表示されており、かかるメッセージと案内情報選択部６での上記のガイダンスアニメーションの移動とにより、この案内情報表示装置１の前を通る人やその付近にいる人などに、この案内情報表示装置１を操作することにより、希望の案内先に案内できることを知らせるようにしている。
【００４４】
この案内情報選択部６での最下部（即ち、最も下側の案内メニュー２１5の表示エリアの下側）には、次のベージの案内メニューを表示させるための次ページ指定部２２が設けられている。
【００４５】
操作ボタン部７には、「カーソル」表示ボタン２３と言語切替ボタン２４と「検索」ボタン２５とが横方向に配列されて表示されている。ここで、言語切替ボタン２４は「日本語」選択ボタン２４ａのほか、例えば、「英語」選択ボタン２４ｂと「中国語」選択ボタン２４ｃと「韓国語」選択ボタン２４ｄとからなるものであって、そのいずれかがタッチ操作されると、表示画面３全体の文字表示、即ち、案内メッセージ欄２６でのメッセージや案内メニュー２１1〜２１5でのメニューの文字表示，次ページ指定部２２での文字表示，操作ボタン部７での各文字表示が、タッチ操作された選択ボタンに該当する言語で表示される（例えば、「英語」選択ボタン２４ｂをタッチ操作した場合には、英語で表示される）。なお、案内情報表示装置１が設置される場所に応じて、そこで使用される言語の言語選択ボタン２４が選択された状態で表示される。以下では、案内情報表示装置１が日本国内の駅構内や路上などに設置されているものとするが、この場合には、待機メニュー画面２０や後述する画面では、「日本語」選択ボタン２４ａが選択された状態にあって、案内メッセージ欄２６でのメッセージや案内メニュー２１1〜２１5のメニュー表示，言語切替ボタン２４の文字表示が日本語で表示されている。
【００４６】
なお、かかる待機メニュー画面２０は、制御部８（図３）が、記憶部１２のプログラム部１３（図３）が表示順序生成部１６（図３）で設定された表示順序に従って作成した第１ページの案内メニューを読み出し、これを基に作成したものである。
【００４７】
このように、案内情報表示装置１では、人が近づかないときには、その表示画面３にかかる待機メニュー画面２０が表示されているが、人が近づいて、これを接近センサ５（図１）及びセンサ部１１（図３）によって制御部８（図３）が検出すると（図５のステップＳ１０１の“有”）、表示画面３に初期メニュー画面を表示する（図５のステップＳ１０２）。
【００４８】
図７は表示画面３の案内情報選択部６に表示されるかかる初期メニュー画面の一具体例を示す図であって、３０は初期メニュー画面であり、図６に対応する部分には同一符号を付けて重複する説明を省略する。
【００４９】
初期メニュー画面３０は、図７に示すように、表示内容が図６に示す待機メニュー画面２０と同様であるが、手型カーソル２７とターゲットマーク２８からなるガイダンスアニメーションが表示されない。即ち、待機メニュー画面２０が表示された状態で利用者が案内情報表示装置１に近づくと、ガイダンスアニメーションが消え、図７に示す初期メニュー画面３０の表示状態となる。
【００５０】
この初期メニュー画面３０では、利用者は案内情報選択部６での案内メニュー２１1〜２１5のうちの希望する案内メニュー２１（案内メニュー２１1〜２１5や後述する案内メニューの総称）を直接タッチして選択することができる。この初期メニュー画面３０で、例えば、利用者によって直接案内メニュー２１2がタッチ操作されて選択されたものとすると（図５のステップＳ１０３の“案内メニュー”）、図８に示されるように、一瞬選択された案内メニュー２１2のエリアの表示状態が変化（例えば、表示色が変化するなど）してこの案内メニュー２１2が確定された表示状態になった後、図９に示す案内情報画面３１の表示がなされる（図５のステップＳ１０４）。
【００５１】
なお、図５では図示しないが、図７に示す初期メニュー画面３０の表示状態（図５のステップＳ１０２）で利用者が所定時間以上案内情報表示装置１から離れ、この時間以上接近センサ５（図１）で利用者が検出されないと、制御部８（図３）が利用者がいなくなったものと判定し、表示画面３での表示を待機メニュー画面２０（図６）の表示に戻る。
【００５２】
ここで、図８において、図６に対応する部分には同一符号を付けて重複する説明を省略する。
【００５３】
また、図９において、３２は案内地図、３２ａは現在位置、３２ｂは案内先（目的地）、３２ｃはルート、３３は案内ルート説明文、３４は「戻る」ボタン、３５は「終了」ボタンである。
【００５４】
案内情報画面３１は、図９に示すように、案内地図３２と案内ルート説明文３３とからなる案内情報を表示するものである。この案内情報は選択された案内メニュー２１に該当するものであって、この案内メニュー２１を基に制御部８が記憶部１２の案内データ部１４（図３）から読み出し、案内情報画面３１をプログラム部１３で作成して表示部９（図３）の表示画面３に表示させる。
【００５５】
案内地図３２は、現在位置（この案内情報表示装置１の設置位置）３２ａと案内先３２ｂを含む地図であって、現在位置３２ａから案内先３２ｂまでのルート３２ｃが示されている。また、案内地図３２の下側に表示される案内ルート説明文３３は、例えば、「○○トイレ」といった案内先と案内先までの道順（ルート）を文章で説明したものである。
【００５６】
また、案内情報画面３１の下辺側には、「戻る」ボタン３４と「終了」ボタン３５とが設けられている。「戻る」ボタン３４は、これをタッチ操作すると、１つ前の画面、即ち、ここでは、図７に示す初期メニュー画面３０に戻るための操作ボタンである。後述する図１０から図９に遷移した場合には、図１０に戻ることとなる。「終了」ボタン３５は、これをタッチ操作することにより、最初の画面、この場合も、図７に示す初期メニュー画面３０に戻るための操作ボタンである。
【００５７】
このようにして、図７に示す初期メニュー画面３０で場所を知りたい行先に対する案内メニュー２１を直接タッチ操作することにより、場所を案内する案内地図３２や案内ルート説明文３３を表わす案内情報画面３１が表示されることになり、利用者はこれから自分が希望する行先の場所とその道順を知ることができる。
【００５８】
また、図７に示す初期メニュー画面３０で次ページ指定部２２がタッチ操作されると（図５のステップＳ１０３の“次のページ”）、メニュー第２画面が表示される（図５のステップＳ１０５）。
【００５９】
図１０はこのメニュー第２画面の一具体例を示す図であって、２１6〜２１15は案内メニュー、４０はメニュー第２画面、４１は「戻る」ボタンであり、図６に対応する部分には同一符号をつけて重複する説明を省略する。
【００６０】
同図において、このメニュー第２画面４０では、案内情報選択部６において、次のページ、即ち、第２ページの、ここでは、１０個の案内メニュー２１6〜２１15が表示されている。さらに、次ページ指定部２２をタッチ操作することにより、第３ページの案内メニューが表示され、次ページ指定部２２がタッチ操作される毎に案内メニューが表示されるページが切り替えられる。そして、このメニュー第２画面４０で案内メニュー２１のいずれかがタッチ操作されると（図５のステップＳ１０６の“案内メニュー”）、図１１に示すように、タッチ操作された案内メニュー２１（この場合、案内メニュー２１6）が決定された後、図９に示したように、このタッチ操作された案内メニュー２１に該当する案内情報の案内情報画面３１が表示される（ステップＳ１０４）。
【００６１】
また、次ページ指定部２２には、「戻る」ボタン４１が表示される。この「戻る」ボタン４１がタッチ操作されると（図５のステップＳ１０６の“戻る”）、図７に示す初期メニュー画面３０の表示に戻る（図５のステップＳ１０２）。
【００６２】
また、図７に示す初期メニュー画面３０で「検索」ボタン２５がタッチ操作されると（図５のステップＳ１０３の“検索”）、検索画面が表示される（図５のステップＳ１０７）。
【００６３】
図１２はこの検索画面の一具体例を示す図であって、２１16は案内メニュー、５０は検索画面、５１は案内メニュー検索部、５２は文字キー操作部、５２ａは「あかさたな」キーボード、５２ｂは吹き出し、５３は入力文字表示部、５４は「英数」ボタン、５５は「検索中止」ボタン、５６は「訂正」ボタンであり、図６に対応する部分には同一符号をつけて重複する説明を省略する。
【００６４】
同図において、この検索画面５０は、図７に示す初期メニュー画面３０に対し、案内情報選択部６が縮小されて、この案内情報選択部６と操作ボタン部７との間に生じたエリア内に文字キー操作部５２と入力文字表示部５３とからなる案内メニュー検索部５１が表示される。また、操作ボタン部７では、「検索」ボタン２５（図７）の代わりに、「検索中止」ボタン５５が表示される。
【００６５】
文字キー操作部５２では、「あ」，「か」，「さ」，「た」，「な」，……のタッチキーが横一列に配列されてなる「あかさたな」キーボード５２ａと、「英数」ボタン５４とが設けられており、「あかさたな」キーボード５２ａのいずれかのタッチキー、例えば、文字「た」のタッチキーをタッチ操作すると、図示するように、この文字「た」のタッチキーから吹き出し５２ｂが表示され、この吹き出し５２ｂに「た」行，「だ」行の各文字及び小文字「っ」のタッチキーが表示される。そして、吹き出し５２ｂ内の、例えば、文字「ど」のタッチキーをタッチ操作すると、この文字「ど」が、入力文字として、入力文字表示部５３に表示される。
【００６６】
なお、入力文字表示部５３での「訂正」ボタン５６は、文字キー操作部５２で入力された文字を訂正するものであって、この「訂正」ボタン５６がタッチ操作される毎に、入力文字表示部５３に表示されている文字が新しく入力された順に１つずつ削除されていく。
【００６７】
そして、この入力文字表示部５３での入力文字を含む案内メニューが案内情報選択部６に表示される。ここでは、文字「ど」が入力されているものとして、この文字「ど」を含む、例えば、「動輪の広場」といった案内メニュー２１16などが全て表示され、このようにして案内情報選択部６に表示される案内メニュー２１のうちの希望する案内メニュー２１をタッチ操作することにより（図５のステップＳ１０８の“案内メニュー”）、図９に示されるような案内画面３１が表示されることになる（図５のステップＳ１０４）。
【００６８】
このようにして、文字キー操作部５２で複数の文字を続けて入力することができ、文字を入力する毎に、入力文字表示部５３で順次入力される文字が表示されるとともに、案内情報選択部６では、かかる入力された複数の文字を含む案内メニュー２１が表示されることになり、このため、表示される案内メニュー２１が制限されていく。
【００６９】
また、文字キー操作部５２において、「英数」ボタン５４をタッチ操作すると、「あかさたな」キーボード５２ａに代わってアルファベットのキーボードが表示され、アルファベットによる文字入力が可能となる。また、文字キー操作部５２において、「英数」ボタン５４に代わって「かな」ボタン（図示せず）が表示され、これをタッチ操作すると、文字キー操作部５２が「あかさたな」キーボード５２ａの表示に戻る。
【００７０】
この検索画面５０の操作ボタン部７での「検索中止」ボタン５５がタッチ操作されると（図５のステップＳ１０８の“検索中止”）、図７に示す初期メニュー画面３０の表示状態に戻る（図５のステップＳ１０２）。
【００７１】
なお、図７に示す初期メニュー画面３０，図１０に示すメニュー第２画面４０及び図１２に示す検索画面５０では、その操作ボタン部７に設けられている言語切替ボタン２４のいずれかの選択ボタンが選択されると、それ以降に表示される全ての画面がその選択されたこの選択ボタンに該当する言語で表示されることになる。但し、利用者が案内情報表示装置１から離れてこの案内情報表示装置１が利用されない状態になると、図６に示す待機メニュー画面２０が表示されて待機状態となるが、このときの待機メニュー画面２０では、もとの言語を使用する状態に戻る。ここでは、日本語で表示された状態に戻る。
【００７２】
このように、この実施形態では、検索画面５０での文字キー操作部５２を用いることにより、案内メニューが非常に多くて案内情報選択部６に表示される案内メニュー２１からは希望する案内メニューを見つけ出すことが困難な場合でも、この希望する案内メニューを簡単な操作でもって容易に見つけ出すことができる。
【００７３】
ところで、以上は、利用者が初期メニュー画面３０（図７）などで所望の案内メニュー２１を直接タッチ操作して選択した場合であるが、子供などの背の低い人や車椅子を利用する人などは、かかる初期メニュー画面３０などの上の方に手が届きにくく、タッチ操作しにくい場合がある。このような利用者でも、この案内情報表示装置１の操作をし易くするために、表示画面３の下部に操作ボタン部７が設けられている。
【００７４】
初期メニュー画面３０で、操作ボタン部７の「カーソル表示」ボタン２３が操作されると（図５のステップＳ１０３の“カーソル表示”）、手型カーソル２７が表示された変更初期メニュー画面が表示画面３に表示される（図５のステップＳ１０９）。
【００７５】
図１３（ａ），（ｂ）はこの変更初期メニュー画面の一具体例を示す図であって、６０，６０ａは変更初期メニュー画面、６１は「カーソル消す」ボタン、６２は上方向ボタン、６３は下方向ボタン、６４は「確定」ボタンであり、図６に対応する部分には同一符号をつけて重複する説明を省略する。
【００７６】
同図（ａ）において、この変更初期メニュー画面６０では、操作ボタン部７で、初期メニュー画面３０（図７）での「カーソル表示」ボタン２３，言語切替ボタン２４に代わって、「カーソル消す」ボタン６１とカーソル移動方向ボタンとしての上方向ボタン６２，下方向ボタン６３と「確定」ボタン６４とが表示される。ここで、言語切替ボタン２４が非表示となるが、「カーソル表示」ボタン２３を操作することによってカーソル操作へ切り替える場合には、現在表示されている言語が操作者の利用可能な言語表示となっていると想定されるため、言語切替ボタン２４を非表示としても、操作の妨げにならない。「検索」ボタン２５はそのまま表示されている。これとともに、案内情報選択部６の最下部、即ち、「カーソル消す」ボタン６１の近傍の次ページ指定部２２の部分に手型カーソル２７が表示されるが、表示されると直ちにこの手型カーソル２７が上方に移動し、最上の案内メニュー２１1を指先で指し示す（指示する）状態となる。
【００７７】
そして、手型カーソル２７がこのような状態になると、図１３（ｂ）に示すように、この手型カーソル２７の案内メニュー２１1を指示した指先にターゲットマーク２８が表示され、これにより、手型カーソル２７がこの案内メニュー２１1を指示していることを利用者に通知している。
【００７８】
図１３（ｂ）に示す変更初期メニュー画面６０ａにおいて、下方向ボタン６３をタッチ操作すると、そのタッチ操作毎に、手型カーソル２７が案内メニュー２１を１つずつ指示するようにして下方に移動し、同様に、上方向ボタン６２をタッチ操作すると、そのタッチ操作毎に、手型カーソル２７が案内メニュー２１を１つずつ指示するようにして上方に移動する。これにより、手型カーソル２７が所望とする案内メニュー２１を指示する状態にすることができる。
【００７９】
そして、手型カーソル２７が所望の案内メニュー２１を指示した状態にした後、「確定」ボタン６４がタッチ操作されると（図５のステップＳ１１０の“案内メニュー”）、図８に示す初期メニュー画面３０ａのように、この所望の案内メニュー２１が確定された状態にされた後、この確定された案内メニュー２１に該当する図９に示すような検索情報画面３１が表示される（図５のステップＳ１０４）。
【００８０】
この変更初期メニュー画面６０ａにおいて、「カーソル消す」ボタン６１がタッチ操作されると（図５のステップＳ１１０の“カーソル消す”）、図７に示す初期メニュー画面３０の表示に戻る（ステップＳ１０２）。
【００８１】
また、この変更初期メニュー画面６０ａにおいて、手型カーソル２７を次ページ指定部２２まで移動させ、「確定」ボタン６４がタッチ操作されると（図５のステップＳ１１０の“次のページ”）、案内情報選択部６で次の第２ページの案内メニュー２１が表示されるメニュー第２画面が表示される（図５のステップＳ１１１）。
【００８２】
図１４はかかる第２ページの案内メニュー２１を表示したメニュー第２画面の一具体例を示す図であって、７０はメニュー第２画面であり、図１０，図１３に対応する部分には同一符号をつけて重複する説明を省略する。
【００８３】
同図において、このメニュー第２画面７０では、図１０に示したメニュー第２画面４０と同様、案内情報選択部７において、第２ページの案内メニュー２１6〜２１15が表示され、また、次ページ指定部２２のエリアに「戻る」ボタン４１が表示されるものであり、操作ボタン部７では、手型カーソル２７の操作の必要上、図１０に示すメニュー第２画面４０とは、「検索」ボタン２５を除いて、操作ボタンの種類が異なるだけである。
【００８４】
そこで、操作ボタン部７の上方向ボタン６２や下方向ボタン６３をタッチ操作して、手型カーソル２７を移動させて所望の案内メニューを指示するようにし、「確定」ボタン６４をタッチ操作すると（図５のステップＳ１１２の“案内メニュー”）、図１５にメニュー第２画面７０ａとして示すように、この指定された、例えば、案内メニュー２１7が確定され、図９に示すようなこの案内メニュー２１7に該当する案内情報画面３１が表示される（図５のステップＳ１０４）。
【００８５】
なお、図１０に示すメニュー第２画面４０で「カーソル表示」ボタン２３がタッチ操作されたときでも（図５のステップＳ１０６の“カーソル表示”）、図１４に示すメニュー第２画面７０の表示状態に移行する（図５のステップＳ１１１）。
【００８６】
また、図１３（ｂ）に示す変更初期メニュー画面６０ａにおいて、「カーソル消す」ボタン６１がタッチ操作されると（図５のステップＳ１１０の“カーソル消す”）、図７に示す初期メニュー画面３０の表示状態に戻る（図５のステップＳ１０２）。
【００８７】
さらに、図１３（ｂ）に示す変更初期メニュー画面６０ａにおいて、「検索」ボタン２５がタッチ操作されると（図５のステップＳ１１０の“検索”）、検索画面が表示される（図５のステップＳ１１３）。
【００８８】
図１６はこの検索画面の一具体例を示す図であって、５０ａは検索画面であり、図１２，図１３に対応する部分には同一符号をつけて重複する説明を省略する。
【００８９】
この検索画面５０ａは、図１６に示すように、図１２に示す検索画面５０と同様であるが、案内メニュー２１を選択するための手型カーソル２７が表示されていることと、操作ボタン部７に「カーソル消す」ボタン６１と上方向ボタン６２と下方向ボタン６３と「確定」ボタン６４とが表示されていることが異なるものである。「検索中止」ボタン５５が表示されることは同様である。文字キー操作部５２の操作方法も図１２に示す検索画面５０での文字キー操作部５２と同様であり、この文字キー操作部５２のタッチ操作によって案内情報選択部６で表示される案内メニュー２１の選択を、操作ボタン部７の上方向ボタン６２や下方向ボタン６３と「確定」ボタン６４とをタッチ操作することにより、手型カーソル２７を操作して行なうことができる。
【００９０】
この検索画面５０ａにおいて、このように手型カーソル２７を操作して案内情報選択部６での所定の案内メニュー、例えば、案内メニュー２１16を選択・確定すると（図５のステップＳ１１４の“案内メニュー”）、この案内メニュー２１16に該当する図９に示すような案内情報画面３１が表示される（図５のステップＳ１０４）。
【００９１】
このように、検索画面５０ａで、案内メニュー検索部５１が案内情報選択部６の下側、即ち、表示画面３の下側に表示されるので、背の低い利用者や車椅子の利用者などの上の方に手が届きにくい利用者でも、案内メニュー検索部５１で直接タッチ操作することができる。勿論、上方向ボタン６２と下方向ボタン６３と「確定」ボタン６４との操作により、手型カーソル２７でもって検索操作を行なうこともできる。
【００９２】
なお、案内メニュー検索部５１の領域は、手が届き易い位置であるため、タッチ操作専用とし、上方の案内メニュー２１を手型カーソル２７で選択可能としてもよい。この場合には、手型カーソル２７の移動領域は、案内メニュー検索部５１の上方までとすればよい。手が届く案内メニュー検索部５１内はタッチ操作で素早く操作し、手の届きにくい案内メニュー２１の選択は手型カーソル２７によって容易に操作可能となる。また、以上のように、カーソル表示ボタン２３が押されて手型カーソル２７が表示された状態でも、案内メニュー２１をタッチ操作によって選択することは可能である。手型カーソル２７を表示させた状態においても、手の届くボタンは自由にタッチ操作することができ、よりスムーズに案内情報を表示させることができる。
【００９３】
また、この検索画面５０ａにおいて、「カーソル消す」ボタン６１がタッチ操作されると（図５のステップＳ１１４の“カーソル消す”）、手型カーソル２７が表示されない図１２に示す検索画面５０の表示状態となり（図５のステップＳ１０７）、「検索中止」ボタン５５がタッチ操作されると（図５のステップＳ１１４の“検索中止”）、図１３（ｂ）に示す変更初期メニュー画面６０ａの表示状態に戻る（図５のステップＳ１０９）。
【００９４】
なお、図１２に示す検索画面５０で「カーソル表示」ボタン２３がタッチ操作されたときでも（図５のステップＳ１０８の“カーソル表示”）、図１６に示す検索画面５０ａの表示状態に移行する（図５のステップＳ１１３）。
【００９５】
以上のように、この実施形態では、縦長の表示画面にメニュー画面を表示しながら、このメニュー画面での上部に表示される案内メニューに手が届きにくい利用者でも、表示される全ての案内メニューから希望する案内メニューを、直接自分の手を動かしているのと同様の感覚で、容易に選択確定することができる。
【図面の簡単な説明】
【００９６】
【図１】本発明によるタッチパネルを用いた案内情報表示装置の一実施形態を示す外観斜視図である。
【図２】図１における表示画面での表示エリアの一具体例を概略的に示す図である。
【図３】図１に示す案内情報表示装置におけるシステムの一具体例の概略構成を示す図である。
【図４】図３における表示回数記録部に記憶されるログデータの一具体例を示す構成図である。
【図５】図１に示す実施形態の処理動作の流れの一具体例を示すフローチャートである。
【図６】図２における表示画面の案内情報選択部に表示される待機メニュー画面の一具体例を示す図である。
【図７】図２における表示画面の案内情報選択部に表示される初期メニュー画面の一具体例を示す図である。
【図８】図７に示す初期メニュー画面で１つの案内メニューを選択したときの初期メニュー画面の一具体例を示す図である。
【図９】図１における表示画面に表示される案内情報画面の一具体例を示す図である。
【図１０】図１における表示画面に表示されるメニュー第２画面の一具体例を示す図である。
【図１１】図１０に示すメニュー第２画面で１つの案内メニューを選択したときのメニュー第２画面の一具体例を示す図である。
【図１２】図１における表示画面に表示される検索画面の一具体例を示す図である。
【図１３】図７に示す初期メニュー画面で「カーソル表示」ボタンがタッチ操作されることによって表示される変更初期メニュー画面の一具体例を示す図である。
【図１４】図１３（ｂ）に示す変更初期メニュー画面で次ページ指定部をタッチ操作して得られるメニュー第２画面の一具体例を示す図である。
【図１５】図１４に示すメニュー第２画面で案内メニューが選択確定されたときのメニュー第２画面の一具体例を示す図である。
【図１６】図１３（ｂ）に示す変更初期メニュー画面で「検索」ボタンがタッチ操作されて表示される検索画面の一具体例を示す図である。
【符号の説明】
【００９７】
１  案内情報表示装置
２  筐体
３  表示画面
４  タッチパネル
５  接近センサ
６  案内情報選択部
７  操作ボタン部
８  制御部
９  表示部
１０  入力部
１１  センサ部
１２  記憶部
１３  プログラム部
１４  案内データ部
１５  表示回数記録部
１６  表示順序生成部
１７  ログデータ
１７ａ  「年月日」欄
１７ｂ  「時刻」欄
１７ｃ  「案内先」欄
２０  待機メニュー画面
２１1〜２１16  案内メニュー
２２  次ページ指定部
２３  「カーソル表示」ボタン
２４  言語選択ボタン
２４ａ  「日本語」選択ボタン
２４ｂ  「英語」選択ボタン
２４ｃ  「中国語」選択ボタン
２４ｄ  「韓国語」選択ボタン
２５  「検索」ボタン
２６  案内メッセージ欄
２７  手型カーソル
２８  ターゲットマーク
３０，３０ａ  初期メニュー画面
３１  案内情報画面
３２  案内地図
３３  案内ルート説明文
３４  「戻る」ボタン
３５  「終了」ボタン
４０  メニュー第２画面
４１  「戻る」ボタン
５０，５０ａ  検索画面
５１  案内メニュー検索部
５２  文字キー操作部
５２ａ  「あかさたな」キーボード
５２ｂ  吹き出し
５３  入力文字表示部
５４  「英数」ボタン
５５  「検索中止」ボタン
５６  「訂正」ボタン
６０，６０ａ  変更初期メニュー画面
６１  「カーソル消す」ボタン
６２  上方向ボタン
６３  下方向ボタン
６４  「確定」ボタン
７０，７０ａ  メニュー第２画面
【図１】
2010020465.tif 000003
【図２】
2010020465.tif 000004
【図３】
2010020465.tif 000005
【図４】
2010020465.tif 000006
【図５】
2010020465.tif 000007
【図６】
2010020465.tif 000008
【図７】
2010020465.tif 000009
【図８】
2010020465.tif 000010
【図９】
2010020465.tif 000011
【図１０】
2010020465.tif 000012
【図１１】
2010020465.tif 000013
【図１２】
2010020465.tif 000014
【図１３】
2010020465.tif 000015
【図１４】
2010020465.tif 000016
【図１５】
2010020465.tif 000017
【図１６】
2010020465.tif 000018